(57)【特許請求の範囲】
【請求項１】
住宅の屋上の床下に設けられた屋根裏と、周囲が壁体で囲まれ、内部に中空部を有し、前記屋根裏と連通して前記屋上の床に設けられた突出部と、を備え、
前記屋根裏の外壁に、外部と通じる屋根裏換気口が設けられ、
前記突出部の前記壁体に、外部と通じる突出部換気口が設けられ、
前記突出部が設けられる前記屋上の床に、前記屋根裏と前記突出部の内部を連通させるための通気口が設けられていることを特徴とする屋根裏の換気構造。
【請求項２】
前記屋根裏換気口或いは前記突出部換気口の少なくとも一方に、外部フードと換気用スリーブが設けられていることを特徴とする請求項１に記載の屋根裏の換気構造。
【請求項３】
前記突出部換気口に設けられた前記換気用スリーブの前記突出部側の先端の換気口が上向きにされていることを特徴とする請求項２に記載の屋根裏の換気構造。
【請求項４】
前記突出部は、屋上の床に設けられた屋上バルコニーの手摺壁と、前記手摺壁よりも内側の屋上の床面に設けられた内壁と、前記手摺壁と前記内壁との間に設けられ前記床面に対して水平な水平板と、からなる箱状体であることを特徴とする請求項１〜３の何れかに記載の屋根裏の換気構造。
【発明の詳細な説明】
【０００１】
【発明の属する技術分野】
本発明は、住宅の屋根裏の換気構造に関し、特に、屋上の床下に設けられた屋根裏の換気構造に関する。
【０００２】
【背景の技術】
従来、住宅の屋根裏（或いは、小屋裏ともいう。）には、該屋根裏空間内の換気を行うための換気口が数カ所設けられている。
図８は、従来の屋根裏の換気口の設置場所の一例を示した側面図であって、（ａ）は切妻屋根１００の場合、（ｂ）は屋上バルコニー１１０の場合を示したものである。
【０００３】
図８（ａ）に示す切妻屋根１００の場合には、屋根裏空間１０１内の高さがある程度確保できるので下部の吸気口１０２から外気を流入させて、上部の排気口１０３から屋根裏空間１０１内の空気を排出するようになっている。なお、寄棟屋根の場合もほぼ同様の換気構造となっている。
一方、図８（ｂ）に示す屋上バルコニー１１０の場合には、屋上１１１にバルコニー壁１１２が設けられ、屋上１１１が平面となっているので、図８（ａ）の切妻屋根の場合のように、屋根裏空間１１３内の高さを高くすることができないため、左右に設けた吸排気口（換気口）１１４により屋根裏空間１１３内の換気を行っていた。従って、屋上バルコニー１１０の場合、切妻屋根１００の場合に比べて、換気効率が悪いので（例えば、切妻屋根の１／３程度）、切妻屋根１００とほぼ同等の換気を行うためには換気口１１４の数を増やす必要があった（例えば、切妻屋根の３倍）。
【０００４】
【発明が解決しようとする課題】
しかしながら、上記屋上バルコニーの床下の屋根裏空間のように、該屋根裏空間の高さが低い場合、換気口の数が増えるので、住宅の外壁面に多数の換気口１１４が露出することとなって外観を損ねてしまうという問題点があった。
一方、上記の場合において、換気口の数を増やさなければ屋根裏空間の換気効率が低下してしまうという問題があった。
【０００５】
本発明は、上記問題点を解決するために為されたものであって、屋根裏空間の高さが低い場合でも、効率よく屋根裏空間内の換気をすることが可能で、且つ、住宅の外壁面の意匠性に優れた屋根裏の換気構造を提供することを目的とする。
【０００６】
【課題を解決するための手段】
上記問題点を解決するため、請求項１記載の発明は、例えば、図２又は図３に示すように、住宅の屋上１２の床下に設けられた屋根裏１０の換気構造において、周囲が壁体（バルコニー手摺パネル、内壁）１５，１６で囲まれ、内部に中空部１９を有し、前記屋根裏１０と連通して前記屋上１２の床１３に設けられた突出部（フラワーボックス）２０と、を備え、
前記屋根裏１０の外壁（壁パネル）１４に、外部と通じる屋根裏換気口２１が設けられ、
前記突出部２０の前記壁体１５，１６に、外部と通じる突出部換気口２２が設けられ、
前記突出部２０が設けられる前記屋上の床１３に、前記屋根裏１０と前記突出部２０の内部を連通させるための通気口１３ａが設けられていることを特徴としている。
【０００７】
請求項１記載の発明によれば、住宅の屋上１２の床面に周囲が壁体１５，１６で囲まれて内部に中空部１９を有する突出部２０が屋根裏１０と連通して屋上１２の床１３に設けられ、この屋根裏１０の外壁５に、外部と通じる屋根裏換気口２１が設けられ、突出部２０の壁体１６に、外部と通じる突出部換気口２２が設けられている。従って、屋根裏換気口２１から流入した空気は、屋根裏１０と連通した突出部１０の中空部１９を通って突出部換気口２２から排出されるようになることとなって、例えば、屋上バルコニーの床下に設けられた屋根裏１０のように換気口の高低差を付けにくい場合でも、屋根裏換気口２１と突出部換気口２２の間の垂直方向の距離を確保することによって、屋根裏空間１０内の換気効率を高めることが出来る。
【００１２】
また、屋根裏空間１０内の換気効率を高めることが出来るので、従来よりも住宅の外壁面に露出する屋根裏換気口２１の数を減らすことが出来ることとなって、外観上好ましいものとなる。
【００１３】
ここで、突出部としては、例えば、屋上バルコニーに設けられるフラワーボックス２０やベンチなどがあるが、屋上の床１３に突出して設けられ内部に中空部１９を有するものであればどのようなものであってもよい。
また、前記突出部２０が設けられる前記屋上１２の床１３に、前記屋根裏１０と前記突出部２０の内部を連通させるための通気口１３ａが設けられている。従って、例えば、屋上の床１３に任意に通気口１３ａを設けて、その場所に突出部２０が設けられることとなって、突出部２０を比較的簡単に設置することが出来るとともに突出部２０の取付場所も任意に設定することが出来る。
【００１６】
請求項２記載の発明は、例えば、図３に示すように、請求項１に記載の屋根裏１０の換気構造において、前記屋根裏換気口２１或いは前記突出部換気口２２の少なくとも一方に、外部フード２１ａ，２２ａと換気用スリーブ２１ｂ，２２ｂが設けられていることを特徴としている。
【００１７】
請求項２記載の発明によれば、屋根裏換気口２１或いは前記突出部換気口２２の少なくとも一方に、外部フード２１ａ，２２ａと換気用スリーブ２１ｂ，２２ｂが設けられているので、集中吸排気することが出来ることとなって、より換気効率の向上を図ることが出来る。
【００１８】
請求項３記載の発明は、例えば、図３に示すように、請求項２に記載の屋根裏１０の換気構造において、前記突出部換気口２２に取り付けた前記換気用スリーブ２２ｂの前記突出部２０側の先端の換気口２２ｄが上向きにされていることを特徴としている。
【００１９】
請求項３記載の発明によれば、突出部換気口２２に取り付けた換気用スリーブ２２ｂの突出部２０側の先端の換気口２２ｄが上向きにされているので、屋根裏空間１０内の上方の温度の高い空気が排気されることとなってより効率よく換気を行うことができる。
【００２０】
請求項４記載の発明は、例えば、図２又は図３に示すように、請求項１〜３の何れかに記載の屋根裏１０の換気構造において、前記突出部２０は、前記屋上１２の床１３に設けられた屋上バルコニーの手摺壁１５と、前記手摺壁１５よりも内側の屋上１２の床１３に設けられた内壁１６と、前記手摺壁１５と前記内壁１６との間に設けられ床１３に対して水平な水平板１８と、からなる箱状体２０であることを特徴としている。
【００２１】
請求項４記載の発明によれば、突出部２０は、屋上１２の床１３に設けられた屋上バルコニーの手摺壁１５と、この手摺壁１５よりも内側の屋上１２の床１３に設けられた内壁１６と、手摺壁１５と内壁１６とに床１３に対して水平に設けられた水平板１８と、から構成される箱状体２０である。従って、このような箱状体２０として、例えば、屋上バルコニーに設けられるフラワーボックス２０やベンチなどを利用して突出部換気口２２を設けることが出来ることとなって、突出部２０を別個に設ける必要がないので、比較的低コストで効率よく屋根裏の換気を行うことが出来る。
【００２２】
【発明の実施の形態】
以下、図を参照して本発明に係る屋根裏の換気構造の実施の形態を詳細に説明する。
［第１の実施の形態］
図１は、本発明に係る第１の実施の形態の屋根裏の換気構造を示す屋根裏と屋上の断面図である。
【００２３】
図１に示すように、天井板２と屋上３のバルコニー床パネル４の間には、屋根裏１が設けられ、また、外壁としての壁パネル５の上部に、胴差し５１を介してバルコニー手摺パネル６が設けられている。
【００２４】
前記壁パネル５は、縦桟材（図示省略）と横桟材５ａ，５ａとを矩形状に組み立てるとともに、この矩形枠の内部に補強桟材（図示省略）を縦横に組み付けて枠体を構成し、この枠体の両面に合板等の面材５ｂ，５ｂが貼着されたものである。この壁パネル５の前記屋根裏１に通じる部位には、屋根裏１に貫通した屋根裏換気口７が設けられている。
【００２５】
前記バルコニー手摺パネル６は、前記壁パネル５と同様に、縦桟材（図示省略）と横桟材６ａ，６ａとを矩形状に組み立てるとともに、この矩形枠の内部に補強桟材（図示省略）を縦横に組み付けて枠体を構成し、この枠体の両面に合板等の面材６ｂ，６ｂが貼着されたものである。
【００２６】
前記バルコニー床パネル４は、バルコニー手摺パネル６と直角でかつ等間隔に付設されたパネル芯材４ａ上に敷設されている。また、バルコニー手摺パネル６近傍には、プラスチックからなる換気パイプ８が取り付けられている。
【００２７】
前記換気パイプ８の先端部には、エルボ８ａが取り付けられ、該エルボ８ａの排気口８ｂはバルコニー手摺パネル６の壁面の反対側に向けられている。
そして、前記屋根裏換気口７から流入された前記屋根裏１内の空気は、換気パイプ８を通って換気パイプ８の排気口８ｂから外部に排気されるようになっている。
このとき、屋根裏換気口７と換気パイプ８の排気口８ａの距離は、９１０ｍｍ以上離すことが望ましい。
また、前記換気パイプ８はバルコニー手摺パネル６の内側の壁面に取り付けるようにしてもよい。
【００２８】
以上、上記第１の実施の形態の屋根裏の換気構造によれば、住宅の屋上３のバルコニー床パネル４下に設けられた屋根裏１の壁パネル５の外壁面に、外部と通じる屋根裏換気口７が設けられ、屋上３のバルコニー床パネル４に、屋上３のバルコニー床パネル４から上方に突出して換気パイプ８が屋根裏１と連通されて設けられているので、屋根裏換気口７と換気パイプ８の排気口８ｂの垂直方向の距離を確保することが出来ることとなって、屋上３のバルコニー床パネル４の下に設けられた屋根裏１内の換気効率を高めることが出来る。
【００２９】
また、屋根裏１内の換気効率を高めることが出来るので、従来よりも住宅の外壁面に露出する屋根裏換気口７の数を減らす（例えば、従来の１／３程度）ことが出来ることとなって、外観上好ましいものとなる。
【００３０】
また、換気パイプ８は、バルコニー手摺パネル６の内側の壁面に近接して取り付けられているので、換気パイプ８が邪魔になることがないとともに外部から換気パイプ８が見えることがないので意匠上も問題となることがない。
【００３１】
［第２の実施の形態］
図２は、本発明に係る第２の実施の形態の屋根裏の換気構造を示す屋根裏と屋上の断面図である。
図２に示す屋根裏の換気構造５０は、天井板１１と、屋上１２のバルコニー床パネル１３と、前記天井板１１と前記バルコニー床パネル１３の間に設けられる屋根裏１０と、住宅の壁パネル１４の上部に取り付けられたバルコニー手摺パネル１５と、前記バルコニー手摺パネル１５より内側のバルコニー床パネル１３に起立して取り付けられた内壁１６と、前記バルコニー手摺パネル１５の壁部（図示省略）と前記内壁１６のバルコニー手摺パネル１３側の側面部１６ｂに長手方向に亘ってそれぞれバルコニー床パネル１３から略等しい高さ位置に設けられた断面形状が長方形で長尺の受木１７と、この受木１７の上面に載置されて取り付けられる合板（水平板）１８などにより概略構成されている。
【００３２】
前記内壁１６は、縦桟材（図示省略）と横桟材１６ａ，１６ａとを矩形状に組み立てるとともに、この矩形枠の内部に補強桟材（図示省略）を縦横に組み付けて枠体を構成し、この枠体の両面に合板等の面材１６ｂ，１６ｂが貼着されたものであり、この内壁１６の長手方向の両側面部１６ａは、バルコニー手摺パネル１５の側壁部１５ａに取り付けられている（図５参照）。従って、バルコニー手摺パネル１５（３面）と内壁１６（１面）と前記合板１８とによって内部に中空部１９を有する箱状体としての屋上フラワーボックス２０が形成されるようになっている。
【００３３】
前記屋根裏１０の外壁となる壁パネル１４部には、外部と通じる屋根裏換気口２１が設けられ、前記内壁１６にも外部と通じる突出部換気口２２が設けられている。
さらに前記バルコニー手摺パネル１５と内壁１６との間のバルコニー床パネル１３には、前記フラワーボックス２０内の中空部１９と連通する通気口１３ａが設けられている。
従って、屋根裏換気口２１から流入した空気は、通気口１３ａを通って前記フラワーボックス２０の中空部１９に流入し、前記内壁１６の突出部換気口２２から外部に排出されるようになっている。
【００３４】
また、この場合、図３に示すように、前記屋根裏換気口２１及び突出部換気口２２にそれぞれ外部フード２１ａ，２２ａ、スリーブ２１ｂ，２２ｂ、エルボ２１ｃ，２２ｃを取り付けてもよい。
このとき、屋根裏換気口２１に取り付けられるエルボ２１ｃの換気口２１ｄ、突出部換気口２２に取り付けられるエルボ２２ｃの換気口２２ｄは、ともに上向きにされている。これにより、屋根裏換気口２１の外部フード２１ａが取り付けられた吸気口２１ｅから流入された空気は上向きのエルボ２１ｃの換気口２１ｄから上方に移動され、さらに突出部換気口２２に取り付けられた上向きのエルボ２２ｃの換気口２２ｄには中空部１９の上部の温度の高い空気が流入して外部フード２２ａが取り付けられた排気口２２ｅから排出されることとなり、屋根裏１０及び屋上フラワーボックス２０内の中空部１９の換気効率の向上を図ることが出来る。
【００３５】
次に、本発明に係る突出部としての屋上バルコニーのフラワーボックス２０の施工方法について図４〜図７を参照して説明する。
まず、第１の工程として、図４に示すように、住宅の壁パネル１４の上部に胴差し１４ａを介してバルコニー手摺壁１５を設け、床パネル芯材１３ｂに取り付けたバルコニー床パネル１３に通気口１３ａとなる穴を設ける。この際、通気口１３ａの大きさとしては、例えば、φ１１０ｍｍ程度とし、通気口の間隔は９１０ｍｍ以上離して設ける。
【００３６】
次に、第２の工程として、図５に示すように、内壁１６をバルコニー床パネル１３に起立させて取り付けるとともに、該内壁１６の長手方向側面１６ａをバルコニー手摺パネル１５の内壁部１５ａに当接させて取り付ける。このとき、予め、前記内壁１６の側壁部１６ｂに突出部換気口２２となる穴の加工を施しておく。この際、穴の大きさとしては、例えば、φ１１０ｍｍ程度とし、通気口１３ａの間隔は９１０ｍｍ以上離して設ける。そして、必要な場合には、前記突出部換気口２２の外側に外部フード２２ａを取り付け、該外部フード２２ａに連結されたスリーブ２２ｂを突出部換気口２２に挿入し、該スリーブ２２ｂの先端に排気口２２ｄが上向きとなるようにエルボ２２ｃを取り付ける。
また、内壁１６をバルコニー床パネル１３に取り付けるときは、パネル芯材１３ｂが位置する場所に釘打ちする。
【００３７】
続いて、図６（第３の工程）及び図７（第４の工程）において、前記内壁１６と対向する前記バルコニー手摺パネル１５の壁部１５ａと前記内壁１６のバルコニー手摺パネル１５側の側面部１６ｂに長手方向にわたってそれぞれバルコニー床パネル１３から略等しい高さ位置に断面形状が長方形の長尺の受木１７を取り付け、この受木１７の上面に合板１８を接着剤及び釘打ちにより取り付ける。
【００３８】
以上説明した第２の実施の形態の屋根裏の換気構造によれば、屋上１２のバルコニー床パネル１３に、突出部或いは箱状体としてのフラワーボックス２０が設けられているので、屋根裏換気口２１から流入した空気は、屋根裏１０と連通したフラワーボックス２０の中空部１９を通って突出部換気口２２から排出されるようになることとなって、屋上バルコニーの床下に設けられた屋根裏１０のように換気口の高低差を付けにくい場合でも屋根裏空間１０内の換気効率を高めることが出来る。
【００３９】
また、屋根裏空間１０内の換気効率を高めることが出来るので、従来よりも住宅の外壁面に露出する屋根裏換気口１０の数を減らすことが出来ることとなって、外観上好ましいものとなる。
【００４０】
また、フラワーボックス２０が取り付けられる屋上１２のバルコニー床パネル１３に、屋根裏１０とフラワーボックス２０を連通させるための通気口１３ａが設けられているので、例えば、屋上１２のバルコニー床パネル１３に任意に通気口１３ａを設けて、その場所にフラワーボックス２０を取り付けることが出来ることとなって、突出部としてのフラワーボックス２０を比較的簡単に設置することが出来るとともに取付場所も任意に設定することが出来る。
【００４１】
また、屋根裏換気口２１或いは前記突出部換気口２２に、それぞれ外部フード２１ａ，２２ａと換気用スリーブ２１ｂ，２２ｂが取り付けられているので、集中吸排気することが出来ることとなって、より換気効率の向上を図ることが出来る。
【００４２】
また、突出部換気口２２に取り付けたエルボ２２ｃの換気口２２ｄが上向きにされているので、屋根裏空間１０内の上方の温度の高い空気が排気されることとなってより効率よく換気を行うことができる。
【００４３】
また、突出部として、例えば、屋上バルコニーに設けられるフラワーボックス２０やベンチなどを利用して突出部換気口２２を設けることが出来ることとなって、突出部を別個に設ける必要がないので、比較的低コストで効率よく屋根裏１０の換気を行うことが出来る。
【００４４】
なお、突出部換気口２２は、フラワーボックス２０の場合、バルコニー手摺パネル１５側に設けてもよい。
また、突出部は、必ずしも屋上バルコニーの端部に設ける必要はなく中央部に設けてもよい。
また、フラワーボックス２０の施工方法は、上記実施の形態に示した方法に限られるものではなく、他の方法を用いてもよいことは無論である。
【００４５】
【発明の効果】
請求項１記載の発明によれば、屋上の床面に周囲が壁体で囲まれて内部に中空部を有する突出部が屋根裏と連通して屋上の床に設けられ、この屋根裏の外壁に、外部と通じる屋根裏換気口が設けられ、突出部の壁体に、外部と通じる突出部換気口が設けられているので、屋根裏換気口から流入した空気は、屋根裏と連通した突出部の中空部を通って突出部換気口から排出されるようになることとなって、例えば、屋上バルコニーの床下に設けられた屋根裏のように換気口の高低差を付けにくい場合でも屋根裏空間内の換気効率を高めることが出来る。また、屋根裏空間内の換気効率を高めることが出来るので、従来よりも住宅の外壁面に露出する屋根裏換気口の数を減らすことが出来ることとなって、外観上好ましいものとなる。
また、前記突出部が取り付けられる前記屋上の床に、前記屋根裏と前記突出部を連通させるための通気口が設けられているので、例えば、屋上の床に任意に通気口を設けて、その場所に突出部を設けることが出来ることとなって、突出部を比較的簡単に設置することが出来るとともに突出部の取付場所も任意に設定することが出来る。
【００４８】
請求項２記載の発明によれば、屋根裏換気口或いは前記突出部換気口の少なくとも一方に、外部フードと換気用スリーブが設けられているので、集中吸排気することが出来ることとなって、より換気効率の向上を図ることが出来る。
【００４９】
請求項３記載の発明によれば、突出部換気口に取り付けた換気用スリーブの突出部側の先端の換気口が上向きにされているので、屋根裏空間内の上方の温度の高い空気が排気されることとなってより効率よく換気を行うことができる。
【００５０】
請求項４記載の発明によれば、突出部は、屋上の床に設けた屋上バルコニーの手摺壁と、この手摺壁よりも内側の屋上の床に設けられた内壁と、手摺壁と内壁とに床に対して水平に設けられた水平板と、から構成される箱状体であるので、従って、このような箱状体として、例えば、屋上バルコニーに設けられるフラワーボックスやベンチなどを利用して突出部換気口を設けることが出来ることとなって、突出部を別個に設ける必要がないので、比較的低コストで効率よく屋根裏の換気を行うことが出来る。
【図面の簡単な説明】
【図１】本発明に係る第１の実施の形態の屋根裏の換気構造を示した屋根裏と屋上の断面図である。
【図２】本発明に係る第２の実施の形態の屋根裏の換気構造を示す屋根裏と屋上の断面図である。
【図３】本発明に係る第２の実施の形態の図２と異なる屋根裏の換気構造を示す屋根裏と屋上の断面図である。
【図４】本発明に係るフラワーボックスの施工工程（第１の工程）を示した図である。
【図５】本発明に係るフラワーボックスの施工工程（第２の工程）を示した図である。
【図６】本発明に係るフラワーボックスの施工工程（第３の工程）を示した図である。
【図７】本発明に係るフラワーボックスの施工工程（第４の工程）を示した図である。
【図８】従来の屋根裏の換気口の設置場所の一例を示した側面図であって、（ａ）は切妻屋根１００の場合、（ｂ）は屋上バルコニー１１０の場合を示したものである。
【符号の説明】
１    屋根裏
２    天井板
３    屋上
４    バルコニー床パネル
５    壁パネル（外壁）
６    バルコニー手摺パネル
７    屋根裏換気口
８    換気パイプ
１０    屋根裏
１１    天井板
１２    屋上
１３    バルコニー床パネル
１４    壁パネル（外壁）
１５    バルコニー手摺パネル
１６    内壁
１７    受木
１８    合板
１９    中空部
２０    フラワーボックス（突出部）
２１    屋根裏換気口
２１ａ  外部フード
２１ｂ  換気用スリーブ
２２    突出部換気口
２２ａ  外部フード
２２ｂ  換気用スリーブ
２２ｄ  換気口
【図１】
0003892120.tif 000002
【図２】
0003892120.tif 000003
【図３】
0003892120.tif 000004
【図４】
0003892120.tif 000005
【図５】
0003892120.tif 000006
【図６】
0003892120.tif 000007
【図７】
0003892120.tif 000008
【図８】
0003892120.tif 000009